(57)【要約】【課題】位相エンコード方向の傾斜磁場による渦の影響を除去すること。【解決手段】位相エンコード（ＰＥ）の方向の位相エンコード用傾斜磁場ＧＰＥによる渦の影響が支配的となる位相エンコードの０次成分を２回のプリスキャン、例えば第１と第２のプリスキャンＡ、Ｂで測定し、この位相エンコードの０次成分に基づいて本スキャンで位相エンコード（ＰＥ）の方向の位相エンコード用傾斜磁場ＧＰＥによる渦の影響を補正する。【選択図】図１
2009254583.tif 000002
【特許請求の範囲】
【請求項１】
被検体のＭＲ画像を得るための本スキャンの前に、高周波励起パルスと複数の高周波反転パルスとを有し、かつ前記複数の高周波反転パルスの印加位相を基準位相値に設定したパルスシーケンスの第１のプリスキャンと、高周波励起パルス及び複数の高周波反転パルスを有し、かつ前記複数の高周波反転パルスの内の偶数番目の高周波反転パルスの印加位相を前記基準位相値に対して１８０°の位相差を有する値に設定したパルスシーケンスの第２のプリスキャンとをそれぞれ実施する磁気共鳴イメージング装置において、
前記第１のプリスキャンにより得た複数のエコー信号から成る第１のエコーデータ群と前記第２のプリスキャンにより得た複数のエコー信号から成る第２のエコーデータ群とに基づいて少なくとも位相エンコードの０次成分を求め、この位相エンコードの０次成分に基づいて前記本スキャンで前記位相エンコードの方向の位相エンコード用傾斜磁場を補正する、
ことを特徴とする磁気共鳴イメージング装置。
【請求項２】
前記第１と前記第２のプリスキャンのパルスシーケンス及び前記本スキャンのパルスシーケンスは、少なくともＣＰＭＧパルス系列であることを特徴とする請求項１記載の磁気共鳴イメージング装置。
【請求項３】
前記第１と前記第２のプリスキャンのパルスシーケンスの位相エンコード用傾斜磁場は、常に零であることを特徴とする請求項１記載の磁気共鳴イメージング装置。
【請求項４】
前記高速スピンエコーを実施したときに現れる第１番目のエコーのピークと第２番目のエコーのピークとの位相差により位相ずれの前記０次成分を求めることを特徴とする請求項１記載の磁気共鳴イメージング装置。
【請求項５】
前記複数のエコー信号を配置するｋ空間上において、当該ｋ空間上の中心位置を挟んで前記第１のプリスキャンにより得た複数のエコー信号から成る第１のエコーデータ群と前記第２のプリスキャンにより得た複数のエコー信号との差を求め、この差に基づいて前記位相エンコードの方向の位相エンコード用傾斜磁場を補正することを特徴とする請求項１記載の磁気共鳴イメージング装置。
【請求項６】
被検体のＭＲ画像を得るための本スキャンの前に、高周波励起パルスと複数の高周波反転パルスとを有し、かつ前記複数の高周波反転パルスの印加位相を基準位相値に設定したパルスシーケンスの第１のプリスキャンを実施し、
次に、高周波励起パルス及び複数の高周波反転パルスを有し、かつ前記複数の高周波反転パルスの内の偶数番目の高周波反転パルスの印加位相を前記基準位相値に対して１８０°の位相差を有する値に設定したパルスシーケンスの第２のプリスキャンを実施し、
次に、前記第１のプリスキャンにより得た複数のエコー信号から成る第１のエコーデータ群と前記第２のプリスキャンにより得た複数のエコー信号から成る第２のエコーデータ群とに基づいて少なくとも位相エンコードの０次成分を求め、
この位相エンコードの０次成分に基づいて前記本スキャンで前記位相エンコードの方向の位相エンコード用傾斜磁場を補正する、
ことを特徴とする磁気共鳴イメージング装置の制御方法。
【請求項７】
前記第１と前記第２のプリスキャンのパルスシーケンスの位相エンコード用傾斜磁場は、常に零であることを特徴とする請求項６記載の磁気共鳴イメージング装置の制御方法。
【請求項８】
前記高速スピンエコーを実施したときに現れる第１番目のエコーのピークと第２番目のエコーのピークとの位相差により位相ずれの前記０次成分を求めることを特徴とする請求項６記載の磁気共鳴イメージング装置の制御方法。
【請求項９】
前記位相エンコード用傾斜磁場の補正の０次成分は、９０°又は１８０°のＲＦパルスの位相により制御することを特徴とする請求項１記載の磁気共鳴イメージング装置の制御方法。
【発明の詳細な説明】
【技術分野】
【０００１】
本発明は、高速スピンエコー（ＦＳＥ）法を用いる磁気共鳴イメージング装置及びその制御方法に関する。
【背景技術】
【０００２】
磁気共鳴イメージング（ＭＲＩ）装置は、原子核スピンの磁気共鳴現象を利用するもので、非侵襲で被検体内の画像を得ることができる。これにより、ＭＲＩ装置は、医療技術の分野でも益々盛んに実施されており、画像処理などの技術の進歩、高度化に伴って、ＭＲ画像に対する質的要求及び高速撮影の度合いも非常に高まっている。このようなＭＲＩ装置では、磁気共鳴イメージングのための各種のパルスシーケンスが実施あるいは提案されており、ＦＳＥ法もその一つである。
【０００３】
高速スピンエコー（ＦＳＥ）法を用いるＭＲＩ装置では、例えばプリスキャンを行うときにスピンエコーの位相ずれを検出し、本スキャンにおいてプリスキャンで検出された位相ずれを補正する。例えば、特許文献１は、位相エンコード（ＰＥ）を外したスピンエコーを収集し、１エコー目と２エコー目との０次及び１次の位相差を測定し、０次の位相差を主にＲＦの位相で補正し、１次の位相差をリードアウト（Readout）方向の傾斜磁場パルスに補正パルスを付加することで補正することを開示する。
【０００４】
又、位相エンコード（ＰＥ）に、−１、＋１、−２、＋２、…、とＳＴＥ（スティミュレーティッドエコー：stimulated echo）成分（以下、副エコーと称する）とをスポイルするパルスを印加したり、同じショットを２回収集し、ＲＦを適切に制御することにより、副エコーを除去することができる。これにより、ＦＳＥ法のプリスキャンを用いれば、スライス方向の傾斜磁場とリード方向の傾斜磁場との渦による位相ずれを完全に除去することが可能である。
【０００５】
なお、副エコーは、次の通りである。ＭＲＩ装置は、本スキャンをＦＳＥ法により行う。この本スキャンは、イメージング用のｋ空間のデータを収集するためのスキャンである。ＦＳＥ法は、１個のflipパルスの後に複数のflopパルスを与えてスピンエコー（ＳＥ）列を作る。このとき、それぞれのスピンエコー（ＳＥ）に異なる大きさの位相エンコード（ＰＥ）を与えることにより各スピンエコー（ＳＥ）をｋ空間の異なるラインに対応させる。これにより、高速スピンエコー（ＦＳＥ）法は、１回の励起で複数の異なるビューを収集する。
【０００６】
高速スピンエコー（ＦＳＥ）法では、flopパルス以降に繰り返されるＲＦパルス及び傾斜磁場信号の波形がそれぞれ対称であるならば、ＭＲ信号の第１のタイプのスピンエコーαと第１のタイプのスピンエコーβとが交互に現れる２系列のエコー成分が含まれる。これらの２系列のエコー成分は、それぞれ主エコー成分と副エコー成分と称することにする。
【０００７】
しかしながら、高速スピンエコー（ＦＳＥ）法は、渦や振動が大きく、かつ位相エンコード（ＰＥ）方向の分解能が高い。このような高速スピンエコー（ＦＳＥ）法では、位相エンコード（ＰＥ）方向の傾斜磁場による渦の影響を無視することができない。従来、磁気共鳴イメージング装置では、スライス方向の傾斜磁場とリード方向の傾斜磁場との渦による位相ずれを除去することができるが、位相エンコード（ＰＥ）方向の傾斜磁場による渦の影響を除去することができない。このため、位相エンコード（ＰＥ）を印加する本スキャンでは、ＭＲ画像に干渉縞が発生することがある。
【特許文献１】米国特許第６３６９５６８号
【発明の開示】
【発明が解決しようとする課題】
【０００８】
本発明の目的は、位相エンコード方向の傾斜磁場による渦の影響を除去できる磁気共鳴イメージング装置及びその制御方法を提供することにある。
【課題を解決するための手段】
【０００９】
本発明の請求項１に記載の磁気共鳴イメージング装置は、被検体のＭＲ画像を得るための本スキャンの前に、高周波励起パルスと複数の高周波反転パルスとを有し、かつ複数の高周波反転パルスの印加位相を基準位相値に設定したパルスシーケンスの第１のプリスキャンと、高周波励起パルス及び複数の高周波反転パルスを有し、かつ複数の高周波反転パルスの内の偶数番目の高周波反転パルスの印加位相を基準位相値に対して１８０°の位相差を有する値に設定したパルスシーケンスの第２のプリスキャンとをそれぞれ実施する磁気共鳴イメージング装置において、第１のプリスキャンにより得た複数のエコー信号から成る第１のエコーデータ群と第２のプリスキャンにより得た複数のエコー信号から成る第２のエコーデータ群とに基づいて少なくとも位相エンコードの０次成分を求め、この位相エンコードの０次成分に基づいて本スキャンで位相エンコードの方向の位相エンコード用傾斜磁場を補正する。
【００１０】
本発明の請求項６に記載の磁気共鳴イメージング装置の制御方法は、被検体のＭＲ画像を得るための本スキャンの前に、高周波励起パルスと複数の高周波反転パルスとを有し、かつ複数の高周波反転パルスの印加位相を基準位相値に設定したパルスシーケンスの第１のプリスキャンを実施し、次に、高周波励起パルス及び複数の高周波反転パルスを有し、かつ複数の高周波反転パルスの内の偶数番目の高周波反転パルスの印加位相を基準位相値に対して１８０°の位相差を有する値に設定したパルスシーケンスの第２のプリスキャンを実施し、次に、第１のプリスキャンにより得た複数のエコー信号から成る第１のエコーデータ群と第２のプリスキャンにより得た複数のエコー信号から成る第２のエコーデータ群とに基づいて少なくとも位相エンコードの０次成分を求め、この位相エンコードの０次成分に基づいて本スキャンで位相エンコードの方向の位相エンコード用傾斜磁場を補正する。
【発明の効果】
【００１１】
本発明によれば、位相エンコード方向の傾斜磁場による渦の影響を除去できる磁気共鳴イメージング装置及びその制御方法を提供できる。
【発明を実施するための最良の形態】
【００１２】
以下、本発明の一実施の形態について図面を参照して説明する。  
図１は磁気共鳴イメージング（ＭＲＩ）装置の構成図を示す。このＭＲＩ装置は、静磁場発生用の磁石部と、静磁場に位置情報を付加するための傾斜磁場部と、選択励起用及びＭＲ信号受信用の送受信部と、システムコントロール及び画像再構成を担う制御・演算部とを備える。  
磁石部は、例えば超電導方式の磁石１と、この磁石１に電流を供給する静磁場電源２とを備える。この磁石部は、撮影対象としての被検体Ｐが挿入される円筒状の診断空間のＺ軸方向（長手方向）に静磁場Ｈ０を発生する。
【００１３】
傾斜磁場部は、磁石１に組み込まれたＸ軸方向、Ｙ軸方向、Ｚ軸方向の３組の傾斜磁場コイル３ｘ〜３ｚと、この傾斜磁場コイル３ｘ〜３ｚに電流を供給する傾斜磁場電源４と、この電源４を制御するシーケンサ５に有する傾斜磁場シーケンサ５ａとを備える。Ｘ軸方向の傾斜磁場コイル３ｘは、Ｘ軸方向に傾斜磁場を発生する。Ｙ軸方向の傾斜磁場コイル３ｙは、Ｙ軸方向に傾斜磁場を発生する。
【００１４】
Ｚ軸方向の傾斜磁場コイル３ｚは、Ｚ軸方向に傾斜磁場を発生する。これらＸ軸方向の傾斜磁場とＹ軸方向の傾斜磁場とＺ軸方向の傾斜磁場とは、互いに直交する。
【００１５】
傾斜磁場シーケンサ５ａは、コンピュータを備え、装置全体のコントローラ６（コンピュータを搭載）からプリスキャン及び本スキャンを実施するための例えばＦＳＥ法などの収集シーケンスを指令する信号を受けると、この指令に応答してプリスキャン及び本スキャンの各処理を実行する。
【００１６】
これにより、傾斜磁場シーケンサ５ａは、コントローラ６から指令されたシーケンスに従ってＸ軸方向、Ｙ軸方向、Ｚ軸方向の各傾斜磁場の印加及びその強度を制御し、これら傾斜磁場を静磁場Ｈ０に重畳可能になっている。なお、互いに直交する３軸のうちＺ軸方向の傾斜磁場をスライス用傾斜磁場ＧＳＳとする。Ｘ軸方向の傾斜磁場を読出し用傾斜磁場ＧＲＯとする。Ｙ軸方向の傾斜磁場を位相エンコード用傾斜磁場ＧＰＥとする。
【００１７】
送受信部は、磁石１内の撮影空間にて被検体Ｐの近傍に配設される高周波コイル（ＲＦコイル）７と、このＲＦコイル７に接続された送信機８Ｔ及び受信機８Ｒと、これら送信機８Ｔ及び受信機８Ｒの動作タイミングを制御するＲＦシーケンサ５ｂ（コンピュータを搭載）とを備える。ＲＦシーケンサ５ｂは、傾斜磁場シーケンサ５ａと共にシーケンサ５を成す。
【００１８】
ＲＦシーケンサ５ｂは、傾斜磁場シーケンサ５ａと同期した状態で、送信機８Ｔ及び受信機８Ｒに対してＲＦパルスの印加を指令する。送信機８Ｔ及び受信機８Ｒは、ＲＦシーケンサ５ｂの制御のもと、核磁気共鳴（ＮＭＲ）を励起させるためのラーモア周波数のＲＦ電流パルスをＲＦコイル７に供給し、かつＲＦコイル７により受信された高周波信号（ＭＲ信号）に各種の信号処理を施してエコー信号を形成する。
【００１９】
制御・演算部は、コントローラ６のほか、受信機８Ｒで形成されたデジタル量のエコー信号を受けるマルチプレクサ１１を備える。このマルチプレクサ１１は、コントローラ６からの制御信号に応答して、その出力経路をコントローラ側及び再構成ユニット側との間で択一的に切り換える。  
さらに、マルチプレクサ１１の一方の出力側には、フーリエ変換法により画像再構成を行う再構成ユニット１２と、再構成した画像データを保管する記憶ユニット１３と、画像を表示する表示器１４と、入力器１５とを備える。コントローラ６は、前述したようにコンピュータを内蔵し、システム全体の動作内容及び動作タイミングを制御する。
【００２０】
コントローラ６は、位相エンコード（ＰＥ）の方向の位相エンコード用傾斜磁場ＧＰＥによる渦の影響が支配的となる位相エンコードの０次成分を２回のプリスキャン、例えば第１と第２のプリスキャンＡ、Ｂで測定し、この位相エンコードの０次成分に基づいて本スキャンで位相エンコード（ＰＥ）の方向の位相エンコード用傾斜磁場ＧＰＥによる渦の影響を補正する。この場合、位相エンコード用傾斜磁場ＧＰＥの０次成分を補正するのは、ＲＦコイル７からの９０°又は１８０°のＲＦパルスの位相により合わせる。
【００２１】
すなわち、コントローラ６は、高速スピンエコー（ＦＳＥ）法を実施し、この高速スピンエコー（ＦＳＥ）法におけるflopパルス以降に繰り返されるＲＦパルス及び傾斜磁場信号の波形がそれぞれ対称な場合に、ＭＲ信号に交互に現れる主エコー成分（第１のタイプのスピンエコーα）と副エコー成分（第２のタイプのスピンエコーβ）との２系列のエコー成分のうち副エコーを取り出す方式に、本スキャンで位相エンコード（ＰＥ＝０）を収集するショットと同じＰＥ系列をＰＥ方向に印加する、すなわち主エコー成分αと副エコーβとの位相差を無くすようなＰＥ系列を本スキャンでＰＥ方向に印加する。換言すれば、複数のエコー信号を配置するｋ空間上において、当該ｋ空間上の中心位置を挟んで第１のプリスキャンＡにより得た複数のエコー信号から成る第１のエコーデータ群と第２のプリスキャンＢにより得た複数のエコー信号との差を求め、この差に基づいて位相エンコード（ＰＥ）の方向の位相エンコード用傾斜磁場ＧＰＥを補正するＰＥ系列のパルスを求めると等価である。
【００２２】
次に、上記の如く構成された装置における位相エンコード（ＰＥ）の方向の位相エンコード用傾斜磁場Ｇpeによる渦の除去について図２に示す制御フローチャートに従って説明する。ここでは、コントローラ６は、パルスシーケンスとして高速スピンエコー（ＦＳＥ）のＣＰＭＧパルス系列を実行する。  
コントローラ６は、ステップＳ１において、マルチプレクサ１１のスイッチ経路をコントローラ６側に切り換えた状態で、図３に示すパルスシーケンスの第１のプリスキャンＡをシーケンサ５に実行させ、その結果得られるエコー信号を入力する。
【００２３】
第１のプリスキャンＡは、最初に、スライス用傾斜磁場パルスＧssを印加すると共に、高周波励起パルスＲＦex（印加位相φ＝０°、フリップ角θ＝α（ここでは９０°））を印加する。次に、第１のプリスキャンＡは、高周波励起パルスＲＦexの印加時からτ／２の時間経過後に、スライス用傾斜磁場パルスＧssと共に、第１番目の高周波反転パルスＲＦrel（印加位相φ＝９０°、フリップ角θ＝β１（ここでは１８０°））を印加する。  
次に、最初の高周波励起パルスＲＦexの印加時からτ時間後に、第１のプリスキャンＡでは、リード用傾斜磁場パルスＧroを印加しながらエコー信号Ｅ(1)の読み出しを行う。
【００２４】
これ以後、第１のプリスキャンＡでは、第１番目の高周波反転パルスＲＦrelの印加時からτ時間経過毎に第２番目以降の高周波反転パルスＲＦre2、ＲＦre3、…、をスライス用傾斜磁場パルスＧssと共に印加し、エコー信号Ｅ(2)、Ｅ(3)、…、を同様に読み出しする。この第１のプリンスキャンＡは、同図に示すように位相エンコード用傾斜磁場パルスＧpeは、常に零となっている。
【００２５】
第１のプリンスピンＡにおいては、何等かの原因に因り原子核スピンに位相ずれがある場合、最初のエコー信号Ｅ(1)以外のエコー信号Ｅ(2)、Ｅ(3)、…、のそれぞれは、２つのエコー成分、すなわち図３に示すように主エコー成分Ｅmain(2)（Ｅmain(3)、…）と、副エコー成分Ｅsub(2)（Ｅsub(3)、…）とに分かれる。位相ずれの原因が無いとき、主エコー成分Ｅmain(n)の位相arg{Ｅmain(n)}と副エコー成分Ｅsub(n)の位相arg{Ｅsub(n)}とは等しい（ｎ＝２、３、…）。
【００２６】
次に、コントローラ６は、ステップＳ２において、図４に示すように第２のプリスキャンＢをシーケンサ５に実行させ、その結果得られるエコー信号を入力する。  
第２のプリスキャンＢは、最初に、スライス用傾斜磁場パルスＧssと共に、高周波励起パルスＲＦex（印加位相φ＝０°、フリップ角θ＝α（ここでは９０°））を印加する。高周波励起パルスＲＦexの印加時からτ／２の時間経過後に、第２のプリスキャンＢは、スライス用傾斜磁場パルスＧssと共に、高周波反転パルスＲＦrel（印加位相φ＝９０°、フリップ角θ＝α（ここでは１８０°））を印加する。  
次に、第２のプリスキャンＢは、最初の高周波励起パルスＲＦexの印加からτ時間後に、リード用傾斜磁場パルスＧroを印加しながらエコー信号Ｅ(1)の読み出しを行う。
【００２７】
これ以後、第２のプリスキャンＢは、第１番目の高周波反転パルスＲＦrelの印加からτ時間毎に第２番目以降の高周波反転パルスＲＦre2、ＲＦre3、…、をスライス用傾斜磁場パルスＧssと共に印加し、エコー信号Ｅ(2)、Ｅ(3)、…、を読み出する。
【００２８】
第２のプリスキャンＢにおいては、偶数番目の高周波反転パルスＲＦre2、ＲＦre4、…、の印加位相φは、図４に示すように奇数番目の高周波反転パルスＲＦre3、ＲＥre5、…、をさらに１８０°だけ回転させた値（φ＝２７０°）に設定してある。位相エンコード用傾斜磁場パルスＧpeは、第１のプリスキャンＡと同様に常に零となっている。
【００２９】
何等かの原因に因り原子核スピンに位相ずれがある場合、前述と同様に、最初のエコー信号Ｅ(1)以外のエコー信号Ｅ(2)、Ｅ(3)、…、のそれぞれは、２つのエコー成分、すなわち主エコー成分Ｅmain(2)（Ｅmain(3)、…）と、副エコー成分Ｅsub(2)（Ｅsub(3)，…）とに分かれ、しかも偶数番目の高周波反転パルスＲＦre2、ＲＦre4、…、の印加位相φを１８０°だけ余計に回転させているので、副エコー成分Ｅsub(2)、Ｅsub(3)、…、の位相arg{Ｅsub(n)}だけが第１のプリンスキャンＡ時の対応する位相に対して１８０°回転する。
【００３０】
この理由を図５を参照して説明する。第ｎ番目のエコー信号の位相をθｎ、第ｎ＋１番目、第ｎ＋２番目の高周波反転パルスの位相をそれぞれφn+1、φn+2とする。第ｎ＋２番目の高周波反転パルスで生じる主エコー成分の位相θｎ＋２，ＳＥ、副エコー（stimulated echo）成分の位相θｎ＋２，ＳＴＥは、  
θｎ＋２，ＳＥ＝２φn+2−φn+1＋θn              …（１）  
θｎ＋２，ＳＴＥ＝φn+2＋φn+1−θn               …（２）  
によりで表される。
【００３１】
図３に示す第１のプリスキャンＡの場合、１以上の全ての整数ｎに対して、φn＝９０°、θn ＝９０°、θｎ＋２，ＳＥ＝９０°、θｎ＋２，ＳＴＥ ＝９０°である。従って、位相ダイヤグラム上の複数のエコー経路の合成である主エコー成分Ｅmain(n)、副エコー成分Ｅsub(n)の位相も等しく、それぞれ９０°となる。
【００３２】
図４に示す第２のプリスキャンＢの場合は２通りに分けて考える。  
ｎ＝２ｍ（ｍは１以上の整数）のとき、  
【数１】
2009254583.tif 000003
【００３３】
第ｎ番目の主エコー成分Ｅmain(n)からφn+1、φn+2に因り生じる副エコー成分は、Ｅsub(n+2)である。これにより、ｎ＝２以上の全てのｎについて図４に示す第２のプリスキャンＢにおける副エコー成分Ｅsub(n)の位相は、２７０°、つまり図３に示す第１のプリスキャンＡの状態から１８０°反転していることが分かる。
【００３４】
上述のプリスキャンの結果、第１のプリスキャンＡで得られたエコー信号をＥａ(n)、第２のプリスキャンＢで得られたエコー信号をＥｂ(n)とすると（ｎ＝２、３、…）、  
Ｅａ(n)＝Ｅmain(n)＋Ｅsub(n)            …（３）  
Ｅｂ(n)＝Ｅmain(n)−Ｅsub(n)            …（４）  
の関係が成立する。
【００３５】
次に、コントローラ６は、ステップＳ３において、第１と第２のプリスキャンＡ、Ｂにより得られた各エコー信号同士の平均化の処理を行う。すなわち、コントローラ６は、  
｛Ｅａ(n) ＋Ｅｂ(n)｝／２              …（５）  
ｎ＝１、２、…、  
の演算を行う。  
この平均化演算の概念を図６（ａ）（ｂ）及び図７の模式図に示す。これらの図に示すように２番目以降のエコー信号Ｅ(2)、Ｅ(3)、…、では、副エコー成分Ｅsub(2)、Ｅsub(3)、…、の位相が２回のプリスキャンＡ、Ｂにおいて互いに１８０°異なるので適宜相殺され、主エコー成分Ｅmain(n) （ｎ＝１、２、…）のみが抽出される。  
なお、図７（ｂ）は、  
｛Ｅａ(n)−Ｅｂ(n)｝／２                …（６）  
の演算を行った場合の副エコー成分Ｅsub(n)（ｎ＝２、３、…）のみが抽出される様子を模式的に示す。
【００３６】
次に、コントローラ６は、ステップＳ４において、第１、第２番目のエコー信号に基づいて主エコー成分のピークの純粋な位相ずれφmain(1)、φmain(2)及び位置ずれｐmain(1)、ｐmain(2)を演算する。位相ずれの０次成分φは、第１番目のエコー信号の位相と第２番目のエコー信号の位相との差に比例する。すなわち位相ずれの０次成分φを求めることは、第１番目のエコーのピークと第２番目のエコーのピークとの位相差を測定することに等価である。
【００３７】
次に、コントローラ６は、ステップＳ５において、位相ずれの０次成分φに基づいて本スキャンで位相エンコード（ＰＥ）の方向の位相エンコード用傾斜磁場ＧＰＥによる渦の影響を補正するためのＰＥ系列ＰＥ１、ＰＥ２、ＰＥ３、ＰＥ４を求める。すなわち、コントローラ６は、図８に示すパルスシーケンスに基づく本スキャンで位相エンコード（ＰＥ＝０）を収集するショットと同じＰＥ系列のパルスＰＥ１、ＰＥ２、ＰＥ３、ＰＥ４をＰＥ方向に印加する、すなわち主エコー成分αと副エコー成分βとの位相差を無くすようなＰＥ系列を本スキャンでＰＥ方向に印加する。
【００３８】
次に、コントローラ６は、ステップＳ６において、マルチプレクサ１１のスイッチ経路を再構成ユニット１２側に切換え、シーケンサ５に対して図８に示すパルスシーケンスに基づく本スキャンを実行させる。  
本スキャンは、最初の励起からτ／２の時間経過後に、スライス用傾斜磁場パルスＧssと共に、最初の高周波反転パルスＲＦrel（印加位相φ＝９０°、フリップ角θ＝β１（ここでは１８０°））が印加され、スピンの位相反転がなされる。  
次に、本シーケンスの本スキャン実行毎に、位相エンコード（ＰＥ）の方向の位相エンコード用傾斜磁場ＧＰＥによる渦の影響を補正するためのＰＥ系列のパルスＰＥ１が印加され、続いてＰＥ系列のパルスＰＥ２が印加される。
【００３９】
次に、本スキャンでは、最初の選択励起からのτ時間の経過に合わせてリード用傾斜磁場パルスＧroが印加され、これと並行して第１番目のエコー信号Ｅ(1)が収集される。
【００４０】
次に、本スキャンでは、スライス用傾斜磁場パルスＧssと共に、高周波反転パルスＲＦre2、ＲＦre3、…（印加位相φ＝９０°、フリップ角θ＝β２、β３、…、（ここでは１８０°））が順次印加される。  
そして、最初の選択励起からの３τ時間の経過後、本スキャンでは、位相エンコード（ＰＥ）の方向の位相エンコード用傾斜磁場ＧＰＥによる渦の影響を補正するためのＰＥ系列のパルスＰＥ３が印加され、続いてＰＥ系列のパルスＰＥ４が印加される。  
なお、位相エンコード用傾斜磁場ＧＰＥの補正の０次成分は、ＲＦコイル７からの９０°又は１８０°のＲＦパルスの位相により合わせる。本スキャンにおいて、位相エンコード用傾斜磁場ＧＰＥの０次成分を補正するは、ＲＦパルスの位相により合わせる。高周波反転パルスＲＦre2、ＲＦre3、…（印加位相φ＝９０°、フリップ角θ＝β２、β３、…、（ここでは１８０°））が順次印加される毎に、ＲＦパルスの位相０°、１８０°、１８０°、１８０°、…、に対して位相０、９０＋Δφ、９０＋Δφ、９０＋Δφ、…、により合わせる。Δφ＝０次位相差／２である。
【００４１】
以下同様に、スライス用傾斜磁場パルスＧssと共に、高周波反転パルスＲＦre2、ＲＦre3、…（印加位相φ＝９０°、フリップ角θ＝β２、β３、…（ここでは１８０°）が順次印加されると共に、その間に、スピンの位相反転に伴うエコー信号Ｅ(2)、Ｅ(3)、…が順次収集される。
【００４２】
本スキャンにより収集されたエコー信号Ｅ（n)は、順次、受信機８Ｒにて受信処理され、エコーデータに変換される。この処理には、エコー信号Ｅ（n)の直交検波やＡ／Ｄ変換も含まれる。再構成ユニット１２は、エコーデータをｋ（フーリエ）空間を形成するメモリ上にエンコード量に応じて並べ、フーリエ変換法によりＭＲ画像データに再構成する。
【００４３】
このように上記一実施の形態によれば、位相エンコード（ＰＥ）の方向の位相エンコード用傾斜磁場ＧＰＥによる渦の影響が支配的となる位相エンコードの０次成分を２回のプリスキャン、例えば第１と第２のプリスキャンＡ、Ｂで測定し、この位相エンコードの０次成分に基づいて本スキャンで位相エンコード（ＰＥ）の方向の位相エンコード用傾斜磁場ＧＰＥによる渦の影響を補正する。この場合、位相エンコード用傾斜磁場ＧＰＥの補正の０次成分は、９０°又は１８０°のＲＦパルスの位相により制御する。これにより、位相エンコード（ＰＥ）方向の分解能が高い高速スピンエコー（ＦＳＥ）法において、位相エンコード（ＰＥ）方向の傾斜磁場による渦の影響を除去することができ、位相エンコード（ＰＥ）を印加する本スキャンにより干渉縞の発生しない感度むらの少ない高精度なＭＲ画像データを取得できる。そして、第１番目のエコーのピークと第２番目のエコーのピークとの位相差すなわち位相ずれの０次成分φは、補正すべき０次成分に位相エンコード（ＰＥ）の影響を取り込んでいる。位相エンコード（ＰＥ）＝０のエコーは、振幅が大きいので、信頼性の高い補正ができる。
【００４４】
なお、高速スピンエコー（ＦＳＥ）法において第１と第２のプリスキャンＡ、Ｂを行うことでスライス方向の傾斜磁場と、リード方向の傾斜磁場と、位相エンコード（ＰＥ）方向の傾斜磁場との渦による０次成分の位相ずれを求めることが可能である。又、ｋ空間に配置されたエコー信号をフーリエ変換（ＦＴ）することにより１次の傾きを求めることでリード方向の傾斜磁場の位相ずれの１次成分を求めることができる。このように求めた０次成分の位相ずれに基づいて本スキャンで位相エンコード（ＰＥ）の方向の位相エンコード用傾斜磁場ＧＰＥによる渦の影響を補正することができる。
【００４５】
又、プリスキャンを行ってリード方向の傾斜磁場に感度パルスによる磁場を印加し、スライス方向の傾斜磁場と、リード方向の傾斜磁場との渦による１次成分の位相ずれを求める。次に、新たなプリスキャンを行って補正すべきリード方向の傾斜磁場を補正するための補正パルスによる磁場を印加し、この状態で、上記一実施の形態を実施する。これにより、リード方向の傾斜磁場の渦による１次成分の位相ずれを完全に補正できる。しかるに、非シールド傾斜磁場コイルを使用する装置に効果である。
【００４６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
上記一実施の形態では、ＣＰＭＧパルス系列の印加位相の組み合わせを基本に変更しているが、これに限定されるものではなく、第１及び第２のプリスキャンＡ、Ｂの高周波パルスの印加位相の組み合わせは、上記式（１）及び式（２）を満たし、主エコー成分Ｅmain(n)又は副エコー成分Ｅsub(n)が２つのプリスキャンで１８０°の位相差を持つようにするならば、どのような位相の組み合わせでもよい。
【図面の簡単な説明】
【００４７】
【図１】本発明に係る磁気共鳴イメージング装置の一実施の形態を示す構成図。
【図２】同装置における制御フローチャート。
【図３】同装置におけるパルスシーケンスのプリスキャンＡを示す図。
【図４】同装置におけるパルスシーケンスのプリスキャンＢを示す図。
【図５】同装置における副エコー信号の１８０°の位相回転を説明するための図。
【図６】同装置における主エコー成分の分離抽出を示す説明図。
【図７】同装置における主エコー成分と副エコー成分との分離抽出を示す説明図。
【図８】同装置におけるパルスシーケンスの本スキャンを示す図。
【符号の説明】
【００４８】
１：超電導方式の磁石、２：静磁場電源、３ｘ：Ｘ軸方向の傾斜磁場コイル、３ｙ：Ｙ軸方向の傾斜磁場コイル、３ｚ：Ｚ軸方向の傾斜磁場コイル、４：傾斜磁場電源、５：シーケンサ、５ａ：傾斜磁場シーケンサ、５ｂ：ＲＦシーケンサ、６：コントローラ、７：高周波コイル（ＲＦコイル）、８Ｔ：送信機、８Ｒ：受信機、１１：マルチプレクサ、１２：再構成ユニット、１３：記憶ユニット、１４：表示器、１５：入力器。
【図１】
2009254583.tif 000004
【図２】
2009254583.tif 000005
【図３】
2009254583.tif 000006
【図４】
2009254583.tif 000007
【図５】
2009254583.tif 000008
【図６】
2009254583.tif 000009
【図７】
2009254583.tif 000010
【図８】
2009254583.tif 000011